(57)【要約】      （修正有）【課題】予期しない方向から力が作用しづらく、また予期しない方向に力が加わっても、スタンドがステッキから外れることのないスタンド付きステッキを提供する。【解決手段】テーブルなどの上面の縁に掛止してステッキを保持するためのスタンド３がステッキのシャフト１に対し回動可能に設けられる。スタンド３は、ステッキのシャフト１の外径と等しいか又は若干大きな内径の円筒を長手方向に略半割にして断面略Ｕ字状に湾曲した樋形状であって、長手方向の一端側の湾曲方向の両サイドには軸挿入孔３１が対向して形成され、シャフト１の外周面の径方向に対向する位置には、スタンド３の軸挿入孔３１に挿入される軸１１がそれぞれ設けられ、スタンド３の両サイドの軸挿入孔３１にシャフト１の軸１１がそれぞれ挿入されてスタンド３は軸１１に対し回動可能に配設されている。【選択図】図１
0003191038.tif 000002
【実用新案登録請求の範囲】
【請求項１】
テーブルなどの上面の縁に掛止してステッキを保持するためのスタンドが前記ステッキのシャフトに対し回動可能に設けられ、
前記スタンドは、前記ステッキの前記シャフトの外径と等しいか又は若干大きな内径の円筒を長手方向に略半割にして断面略Ｕ字状に湾曲した樋形状であって、長手方向の一端側の湾曲方向の両サイドには軸挿入孔が対向して形成され、
前記シャフトの外周面の径方向に対向する位置には、前記スタンドの前記軸挿入孔に挿入される軸がそれぞれ設けられ、
前記スタンドの両サイドの前記軸挿入孔に前記シャフトの前記軸がそれぞれ挿入されて前記スタンドは前記軸に対し回動可能に配設されており、
前記スタンドは、不使用時には前記シャフトの長手方向の外周に沿って被さるようにして収納され、使用時には前記シャフトに対し回動して開くように構成されていることを特徴とするスタンド付きステッキ。
【請求項２】
前記スタンドは、不使用時に前記シャフトの長手方向の外周に沿って被さるようにして収納された際に湾曲方向の両サイド先端部分の所望箇所が前記シャフトと係合するように、前記シャフトの外径よりも若干内径を小さくした係合部が両サイドに設けられていることを特徴とする請求項１に記載のスタンド付きステッキ。
【請求項３】
前記スタンドは、使用時には前記シャフトに対し回動角度７０度〜９０度で開くことを特徴とする請求項１または２に記載のスタンド付きステッキ。
【請求項４】
前記スタンドの前記軸挿入孔が形成されている側と長手方向反対側の他端には、指掛け部が形成されていることを特徴とする請求項１〜３のいずれかに記載のスタンド付きステッキ。
【考案の詳細な説明】
【技術分野】
【０００１】
本考案は、高齢者や身体的な障害を持つ者が歩行の補助として用いるステッキに関する。
【背景技術】
【０００２】
従来、高齢者や身体的な障害を持つ者は歩行の補助として杖やステッキを使用しているが、ステッキは不使用時、例えばテーブル席に着席したときやカウンタなどで書類の記入作業を行う時には邪魔になる。ところがその際にステッキの適当な置き場所に困り、仕方なくテーブルやカウンタに吊り下げたり、壁にそのまま立てかけたりして係止しようとするが、安定的に保持することができず壁やテーブルなどから滑り落ちて転倒してしまうことがよくある。そして、ステッキが転倒してしまうと、倒れたステッキを屈んで起こすことが高齢者や身体的な障害を持つ者には大変面倒であるという問題があった。そのため不使用時のステッキの転倒防止のために、ステッキのシャフトに取り付けることでステッキを起立した状態に保つ手段として、例えば特許文献１として示す実用新案登録第３００８４５７号公報に記載された杖固定具が提案されている。
【０００３】
特許文献１に記載の杖固定具は図５に示すように、取付輪部ａの開放部ｃを杖のシャフトｅに対して通すことでシャフトｅに対して着脱自在に取り付けることができる。そして、取付輪部ａに対して回動可能に取り付けられている固定板ｂを、シャフトｅに対して垂直な姿勢に開いて、該固定板ｂを机ｆの天板ｇの縁に掛止することで、杖のシャフトｅを起立した状態に保つことができる。
【０００４】
また、特許文献１と同様に杖のシャフトに取り付けて使用するものとして、特許文献２として示す実用新案登録第３１３２７１８号公報に記載の保持具や、特許文献３として示す実用新案登録第３１６４８９８号公報に記載の杖固定具がある。これらの使用方法や機能も特許文献１と同じである。
【先行技術文献】
【特許文献】
【０００５】
【特許文献１】実用新案登録第３００８４５７号
【特許文献２】実用新案登録第３１３２７１８号
【特許文献３】実用新案登録第３１６４８９８号
【考案の概要】
【考案が解決しようとする課題】
【０００６】
特許文献１に記載の杖固定具は、取付輪部ａがプラスチック等の弾性変形可能な材質で構成されていて、開放部ｃの幅を拡大させシャフトｅを通した後に弾性によって元の幅に戻ることでシャフトｅに固定している。このようにして杖固定具をシャフトｅに着脱自在に取り付けているため、シャフトｅに杖固定具を取り付けている状態で予期しない方向に力が加わると、シャフトｅから杖固定具が外れてしまい、再度取り付けるのが面倒であるという問題があった。さらに、杖固定具は取付輪部ａの弾性によってシャフトｅに挟持されているだけであるため、杖固定具に対して力が加わると杖固定具はシャフトｅに対して簡単に回転したり上下方向に動いてしてしまうという問題もあった。
【０００７】
また、特許文献１に記載の杖固定具は、取付輪部ａと固定板ｂとのヒンジ部にスプリングｄが取り付けられていて、該スプリングｄにより固定板ｂをシャフトｅに対して閉じ合わせる方向へ付勢している。しかし、固定板ｂとシャフトｅとが閉じ合っている状態では、固定板ｂの先端部がシャフトｅに対して固定されているわけではないので、固定板ｂに予期しない方向に力が加わると、固定板ｂがシャフトｅから開いてしまうことがあるという問題があった。
【０００８】
その上、特許文献１に記載の杖固定具は、固定板ｂが平板状に形成され且つスプリングｄが組み込まれているヒンジ部がその構造上シャフトｅの外周面より突出している。したがって、固定板ｂとシャフトｅとが閉じ合っている状態のときも、ヒンジ部分や固定板ｂはシャフトｅの外周面から突出したままであり、固定板ｂとシャフトｅの間には間隙があるため、固定板ｂ部分を何かに引っ掛け易く予期しない方向から杖固定具に力が加わり易いという問題もあった。
【０００９】
また、特許文献２に記載された保持具や特許文献３に記載された杖固定具も杖のシャフトにこれら保持具や杖固定具を嵌め込んで使用する構成であり、また同様にシャフトの外周面からこれらの固定板も突出しているため、特許文献１に記載されている杖固定具と同様の問題を有している。
【００１０】
本考案は、このような問題点を解決するためになされたものであり、その目的とするところは、ステッキ（特許文献１における杖に相当する。）の不使用時の転倒を防止するために用いられるスタンド（特許文献１における杖固定具に相当する。）に対して、予期しない方向から力が作用しづらく、また予期しない方向に力が加わっても、スタンドがステッキから外れたりスタンドの先端部とステッキとが開いてしまったりすることのないスタンドを備えたステッキを提供することである。
【課題を解決するための手段】
【００１１】
上記の目的を達成するために、本考案のスタンド付きステッキは、テーブルなどの上面の縁に掛止してステッキを保持するためのスタンドが前記ステッキのシャフトに対し回動可能に設けられ、前記スタンドは、前記ステッキの前記シャフトの外径と等しいか又は若干大きな内径の円筒を長手方向に略半割にして断面略Ｕ字状に湾曲した樋形状であって、長手方向の一端側の湾曲方向の両サイドには軸挿入孔が対向して形成され、前記シャフトの外周面の径方向に対向する位置には、前記スタンドの前記軸挿入孔に挿入される軸がそれぞれ設けられ、前記スタンドの両サイドの前記軸挿入孔に前記シャフトの前記軸がそれぞれ挿入されて前記スタンドは前記軸に対し回動可能に配設されており、前記スタンドは、不使用時には前記シャフトの長手方向の外周に沿って被さるようにして収納され、使用時には前記シャフトに対し回動して開くように構成されていることを特徴としている。
【００１２】
また、本考案においては、前記スタンドは、不使用時に前記シャフトの長手方向の外周に沿って被さるようにして収納された際に湾曲方向の両サイドの先端部分の所望箇所が前記シャフトと係合するように、前記シャフトの外径よりも若干内径を小さくした係合部が両サイドに設けられていることが好ましい。
【００１３】
また、本考案においては、前記スタンドは、使用時には前記シャフトに対し回動角度７０度〜９０度で開くことが好ましい。
【００１４】
また、本考案においては、前記スタンドの前記軸挿入孔が形成されている側と長手方向反対側の他端には、指掛け部が形成されていることが好ましい。
【考案の効果】
【００１５】
本考案によれば、ステッキの不使用時の転倒を防止するために用いられるスタンドは不使用時にはシャフト長手方向の外周に沿って被さるようにして収納されるため、スタンドの不使用時にスタンドに対して、予期しない方向から力が作用しづらく、また予期しない方向に力が加わっても、スタンドがステッキから外れたりスタンドの先端部とステッキとが不用意に開いてしまったりすることがないため、特に高齢者や身体的な障害を持つ者が安心して使用することのできるステッキを得ることができる。
【図面の簡単な説明】
【００１６】
【図１】本考案に係るスタンド付きステッキの一例を示す斜視図である。
【図２】図１のスタンド付きステッキのステッキを収納した状態を示す正面図である。
【図３】図1のスタンド付きステッキのスタンドを開いた状態を示す正面図である。
【図４】本考案に係るスタンド付きステッキのスタンドの一例を示し、（ａ）は正面図、（ｂ）は平面図、（ｃ）はＡ−Ａ線断面図、（ｄ）はＢ−Ｂ線断面図である。
【図５】従来の杖固定具の一例を示す説明図である。
【考案を実施するための形態】
【００１７】
本考案を実施するための形態を、図１〜図４を用いて詳細に説明する。
本考案のスタンド付きステッキは、図１〜図３に示すようにシャフト１とグリップ２及びシャフト１に回動可能に設けられたスタンド３より構成されている。シャフト１とグリップ２は従来のステッキと同じであり、シャフト１は円筒又は円柱状のものであれば伸縮式や折り畳み式などであってもよく、またグリップ２の形状についての制限もない。なお、本実施例では以下シャフト１は円筒状のものを例にして説明する。また、スタンド３は合成樹脂製であっても金属製であってもあるいは木製や紙製などでもよく、後述するような形状に形成でき、ステッキの自重に耐えられる強度を有すれば材質については何でもよい。
【００１８】
次に、スタンド３の一例を図４に基づいて詳説する。
スタンド３はステッキのシャフト１の外径と等しいか又は若干大きな内径の円筒を長手方向に略半割にして断面略Ｕ字状に湾曲した樋形状をしている。これはスタンド３の不使用時に、スタンド３がシャフト１の長手方向の外周に沿って被さるようにして収納されるようにするためであり、スタンド３の樋形状の湾曲部の幅や形状などは不使用時にスタンド３がシャフト１の長手方向に被さるようにして収納できる範囲で任意の幅や形状を選択可能である。また、スタンド３の長さはその機能を果たせる範囲で任意に選択可能である。したがって、スタンド３の形状は図４に示す形状に何ら限定されるものではない。
【００１９】
そして、スタンド３の長手方向の一端側の湾曲方向の両サイドには軸挿入孔３１が対向して形成されている。なお、軸挿入孔３１は貫通した透孔であっても、貫通していない穴形状であってもどちらでもよい。いずれにしても、後述するシャフト１に設けられた軸１１が挿入できればよい。
【００２０】
また、シャフト１の外周面の径方向に対向する位置には、スタンド３の軸挿入孔３１に挿入される軸１１がシャフト１の外周面から突出するようにそれぞれ設けられている。そして、スタンド３の両サイドに形成されている軸挿入孔３１にシャフト１の軸１１がそれぞれ挿入され、スタンド３は軸１１に対し回動可能に配設されている。なお、スタンド３の軸挿入孔３１にシャフト１の軸１１を挿入するに際しては、スタンド３の軸挿入孔３１側がグリップ２側となり後述する指掛け部３５がシャフト１の石突４側となる向きで配設する。すなわち、スタンド３は軸１１を支点としてシャフト１の石突４側からグリップ２側へ向かって回動するようにする。
【００２１】
なお、軸１１はシャフト１の直径部分の延長線上の対向位置であっても、あるいは直径部分の延長線上とは異なる位置でもって直径と平行な線の延長線上の対向位置であっても、どちらの位置に設けられていてもよい。また、シャフト１の長手方向に対して軸１１を設ける位置は、ステッキのグリップ２を手で握った際にスタンド３が邪魔とならない範囲でグリップ２に近接させることが望ましい。スタンド３の位置がグリップ２に近い方がスタンド３をテーブル上面の縁などに掛止したときにより安定性が高まるからである。
【００２２】
ただし、シャフト１が伸縮式や折り畳み式の場合は、伸縮や折り畳みの操作の邪魔にならない範囲で可能な限りグリップ２に近い位置に設ければよい。また、図２と図３に示した例では、スタンド３はグリップ２の短い握り手の方に並行に開く例を示したが、スタンド３の開く方向とグリップ２の向きは適宜選択可能であり、スタンド３は例えば長い握り手の方に開いても、あるいは握り手と直角の方向に開いてもよい。なお、軸１１をシャフト１の直径部分の延長線上の対向位置に設けた場合は、シャフト１に対するスタンド３の取り付け方向を変更することにより、スタンド３の開く向きを例えば短い握り手側と長い握り手側で簡単に入れ替え可能となる。
【００２３】
また、スタンド３には不使用時にシャフト１の長手方向の外周に沿うようにしてスタンド３を収納した際に湾曲方向の両サイドの先端部分の所望箇所がシャフト１と係合するように、シャフト１の外径よりも若干内径の大きさを小さくした係合部３２が両サイドに設けられている。係合部３２はシャフト１の最大径部分を過ぎてその先の径が若干小さくなった箇所の外径とほぼ一致する大きさの内径とし、その位置においてシャフト１と係合するようにする。なお、係合部３２は図４に示すように両サイドの一部分の先端だけを延出してその部分だけがシャフト１と係合するようにしても、あるいはスタンド３の両サイドの先端部分全体がシャフト１と係合するようにしてもよい。
【００２４】
また、係合部３２の湾曲方向の先端部の下面はスタンド３を開いて使用する際にテーブルなどの上面に掛止される接地部３３となるため、滑り防止のために例えばゴムなどを貼着しておいてもよい。また、回動規制部３４がスタンド３を開いた際にスタンド３の軸挿入孔３１近傍でシャフト１と当接する箇所に設けられており、回動規制部３４はスタンド３がシャフト１に対し当接した際に所定の回動角度で開くような形状に形成されている。なお、図１と図４に示す回動規制部３４の形状は一例を示したものであり、スタンド３が所定の回動角度で開けばよく回動規制部３４の形状は図示した形状に限定されるものではない。
【００２５】
スタンド３の使用時にシャフト１に対し開く角度は例えば７０度〜９０度の範囲で任意に選択可能であり、この角度はグリップ２の形状やスタンド３のシャフト１に対する取付位置などから、スタンド３の使用時にステッキが安定して保持される角度に設定すればよい。なお、回動規制部３４には適当なクッション材を貼着しておいてもよい。多少のクッション性を持たしておいた方が、ステッキをスタンド３でもってテーブル上面などの縁に掛止した際に、仮にステッキに手が触れたような場合であってもスタンド３がテーブル上面との安定した掛止状態を保持し易くなる。
【００２６】
なお、スタンド３の接地部３３がシャフト１となす角度を回動規制部３４の形状によるスタンド３の回動角度のみで決めずに、例えばスタンド３のシャフト１に対する回動角度は９０度とするとともに接地部３３が傾斜面となるように形成し、スタンド３の接地部３３がシャフト１となす角度が９０度より小さくなるようにしてステッキが多少斜めに保持されるようにしてもよい。この場合例えば、図４に示すスタンド３において軸挿入孔３１に近い側の係合部３２の長さを軸挿入孔３１に遠い側の係合部３２の長さより短くする。あるいは、さらに夫々の係合部３２の接地部３３を斜めに形成してもよい。
【００２７】
また、スタンド３の軸挿入孔３１が形成されている側と長手方向反対側の他端には、指掛け部３５が形成されている。指掛け部３５はスタンド３を使用するためにスタンド３を開く際に指を引っ掛けて開くための指掛かりに使用するものである。なお、指掛け部３５は図４（ｄ）に示すような僅かな隙間を形成したものであっても、あるいはノブのように出っ張ったものであってもよく、指掛け部３５と称してはいるがスタンド３を開く際の指掛かりやつまみとして機能するものであればどのような形状であってもよい。また、その位置も適宜選択可能であり、必ずしも軸挿入孔３１が形成されている側と長手方向反対側の他端でなくてもよい。
【００２８】
この様に構成されているので、スタンド３は不使用時には図２に示すように指掛け部３５を石突４側に向けてシャフト１の長手方向の外周に沿って被さるようにして収納される。またこのとき、スタンド３の係合部３２がシャフト１と係合することにより、スタンド３の収納状態が確実に維持されることとなる。一方、スタンド３の使用時には図３に示すように指掛け部３５側を石突４側からグリップ２側に向けて回動規制部３４がシャフト１に当接するまで回動させる。すると、スタンド３はシャフト１に対し７０度〜９０度の範囲の角度で開くこととなる。
【００２９】
次に、本発明のスタンド付きステッキの使用方法について説明する。
スタンド３は不使用時には図２に示すようにシャフト１長手方向の外周に沿って被さるようにして収納される。スタンド３の湾曲面の形状はシャフト１の外周面の曲面形状と一致させてあるため、スタンド３はシャフト１の外周に沿って被さるようにして収納されることとなる。また、スタンド３の湾曲面の両サイドの先端部分には係合部３２が設けられているため、この係合部３２がシャフト１と係合することによりスタンド３のシャフト１に対する収納状態が確実に維持されることとなる。
【００３０】
一方、スタンド３を使用する際には、指掛け部３５に指先を引っ掛けて図３に示すようにスタンド３の回動規制部３４がシャフト１と当接するまで回動させるようにして開く。回動規制部３４の形状によりスタンド３のシャフト１に対する回動角度は規制されているため、スタンド３はシャフト１に対して適切な角度で保持されることとなる。この状態で、テーブルなどの上面の縁にスタンド３の接地部３３を載せて掛止させる。すると、ステッキの自重によりスタンド３の接地部３３がテーブルの縁などの接地面との掛止状態を維持し、ステッキはその状態で保持されることとなる。接地部３３にはゴムなどの滑り防止部材が貼着してあり、またグリップ２やシャフト１に対するスタンド３の取り付け位置のバランスなどにより、ステッキは安定して掛止状態が保持されることとなる。
【符号の説明】
【００３１】
１      シャフト
１１    軸
２      グリップ
３      スタンド
３１    軸挿入孔
３２    係合部
３３    接地部
３４    回動規制部
３５    指掛け部
４      石突
【図１】
0003191038.tif 000003
【図２】
0003191038.tif 000004
【図３】
0003191038.tif 000005
【図４】
0003191038.tif 000006
【図５】
0003191038.tif 000007